(57)【要約】【課題】表示情報を見易く速やかに切り替えることが可能な情報表示装置及びアナログ電子時計を提供する。【解決手段】表示窓部を有する文字板と、この文字板の下側に回転可能に設けられ、表示窓部から選択的に表出される複数の日付が配設された日付表示板と、文字板と日付表示板との間に設けられ、上面に日付とは異なる情報が配設された情報表示部を有する情報表示板と、この情報表示板を、情報表示部が表示窓部と重ならず、且つ、表示窓部に対応する位置にある日付が表示窓部から表出される所定の位置、及び、情報表示部が表示窓部に対応する位置の何れにも移動可能な情報表示板駆動手段とを備える。【選択図】図４
2014029272.tif 000002
【特許請求の範囲】
【請求項１】
表示窓部を有する文字板と、
この文字板の下側に回転可能に設けられ、前記表示窓部から選択的に表出される複数の日付が配設された日付表示板と、
前記文字板と前記日付表示板との間に設けられ、上面に前記日付とは異なる情報が配設された情報表示部を有する情報表示板と、
この情報表示板を、前記情報表示部が前記表示窓部と重ならず、且つ、前記表示窓部に対応する位置にある前記日付が前記表示窓部から表出される所定の位置、及び、前記情報表示部が前記表示窓部に対応する位置の何れにも移動可能な情報表示板駆動手段と
を備えることを特徴とする情報表示装置。
【請求項２】
表示窓部を有する文字板と、
この文字板の下側に回転可能に設けられ、前記表示窓部から選択的に表出される複数の第１の情報が配設された第１情報表示板と、
この第１情報表示板を間欠的に回転させるモータと、
前記文字板と前記第１情報表示板との間に回転可能に設けられ、上面に第２の情報が配設された第２情報表示部を有する第２情報表示板と、
前記モータにより、前記第１情報表示板を静止させたままで、前記第１の情報表示板の上側で前記第２情報表示板を回転させて、前記第２情報表示部を前記表示窓部に対応した位置に移動させる情報表示板駆動手段と
を備えることを特徴とする情報表示装置。
【請求項３】
表示窓部を有する文字板と、
この文字板の下側に回転可能に設けられ、前記表示窓部から選択的に表出される複数の第１の情報が配設された第１情報表示板と、
前記文字板と前記第１情報表示板との間に回転可能に設けられ、上面に第２の情報が配設された第２情報表示部を有する第２情報表示板と、
前記第２情報表示板を、前記第２情報表示部が前記表示窓部と重ならず、且つ、前記表示窓部に対応する位置にある前記第１の情報が前記表示窓部から表出される所定の位置、及び、前記第２情報表示部が前記表示窓部に対応する位置の何れにも移動可能な情報表示板駆動手段と
を備えることを特徴とする情報表示装置。
【請求項４】
前記第２情報表示板は、回転可能に設けられており、この第２情報表示板のうち、所定の一部の第１角度範囲において、前記表示窓部から前記第１の情報を表出可能な構成である
ことを特徴とする請求項３記載の情報表示装置。
【請求項５】
出力する情報に応じて前記情報表示板駆動手段を動作させる情報表示板駆動制御手段を備え、
前記第１情報表示板の回転移動は、前記第２情報表示板の回転に連動して行われる構成であり、
前記情報表示板駆動制御手段は、
表示させる前記第１の情報を変更する際、前記第２情報表示板と共に前記第１情報表示板を回転移動させ、
表示させる情報を切り替える場合には、前記第１情報表示板を静止させたままで前記第２情報表示板を回転移動させて、出力する情報に応じた前記第１の情報又は前記第２の情報を前記表示窓部から表出させる
ことを特徴とする請求項４記載の情報表示装置。
【請求項６】
前記第１情報表示板は、前記第２情報表示板における所定の第２角度範囲でこの第２情報表示板と連動して回転され、
前記情報表示板駆動制御手段は、前記表示窓部から表出させる情報を切り替える場合には、この第２角度範囲以外の角度範囲で前記第２情報表示板のみを回転させる
ことを特徴とする請求項５記載の情報表示装置。
【請求項７】
外部機器と無線通信を行う無線通信手段を備え、
前記第２の情報は、この無線通信手段により前記外部機器から取得された情報である
ことを特徴とする請求項２〜６の何れか一項に記載の情報表示装置。
【請求項８】
前記第２情報表示板を照明する照明手段と、
前記第２情報表示部を前記表示窓部に対応する位置に移動させた状態で前記第２情報表示板を前記照明手段に照明させる照明制御手段と
を備えることを特徴とする請求項２〜７の何れか一項に記載の情報表示装置。
【請求項９】
前記第１の情報は、日付情報であることを特徴とする請求項２〜８の何れか一項に記載の情報表示装置。
【請求項１０】
前記１〜９の何れか一項に記載の情報表示装置と、
時刻を計数する計時手段と、
前記文字板上で回動可能に設けられ、前記計時手段により計数された時刻を指し示す複数の指針と
を備えることを特徴とするアナログ電子時計。
【発明の詳細な説明】
【技術分野】
【０００１】
この発明は、アナログ式の情報表示装置及びアナログ電子時計に関する。
【背景技術】
【０００２】
従来、文字板上に設けられた標識と回動可能な指針とを組み合わせて種々の情報を表示させることが可能な表示装置がある。この表示装置において複数の情報を表示させる場合には、複数の情報に各々対応する標識や目盛を文字板上に設けて選択的に表示させたり、複数の情報にそれぞれ対応する指針を設けたりする。
【０００３】
しかしながら、表示させる情報の種類が増えるのに従い、文字板に表示させなければならない目盛の数も増加し、デザイン上の制約が増えたり、更には、どの目盛が用いられているのかユーザが判別し難くなったりするという問題が生じている。そこで、従来、文字板の下に回転可能な情報表示板（回転板）を備え、この回転板上の標識を文字板に設けられた開口部から選択的に露出させることで、不要な情報を露出させない技術が用いられている（特許文献１）。
【先行技術文献】
【特許文献】
【０００４】
【特許文献１】特開平６−６６９６３号公報
【発明の概要】
【発明が解決しようとする課題】
【０００５】
しかしながら、ステップモータを用いて一の回転板を回転させ、複数の情報を選択的に表示させる場合には、回転速度の制約などにより、必要な情報を表示させるまでに時間を要することになるという課題がある。
【０００６】
この発明の目的は、表示情報を見易く速やかに切り替えることが可能な情報表示装置及びアナログ電子時計を提供することにある。
【課題を解決するための手段】
【０００７】
本発明は、上記目的を達成するため、
表示窓部を有する文字板と、
この文字板の下側に回転可能に設けられ、前記表示窓部から選択的に表出される複数の日付が配設された日付表示板と、
前記文字板と前記日付表示板との間に設けられ、上面に前記日付とは異なる情報が配設された情報表示部を有する情報表示板と、
この情報表示板を、前記情報表示部が前記表示窓部と重ならず、且つ、前記表示窓部に対応する位置にある前記日付が前記表示窓部から表出される所定の位置、及び、前記情報表示部が前記表示窓部に対応する位置の何れにも移動可能な情報表示板駆動手段と
を備えることを特徴とする情報表示装置である。
【発明の効果】
【０００８】
本発明に従うと、情報表示装置及びアナログ電子時計において、表示情報を見易く速やかに切り替えることができるという効果がある。
【図面の簡単な説明】
【０００９】
【図１】本発明の実施形態のアナログ電子時計を示す情報表示システムの全体図である。
【図２】アナログ電子時計の正面図である。
【図３】アナログ電子時計の内部構成を示すブロック図である。
【図４】日車と情報表示板に係る構成を説明する図である。
【図５】日車と情報表示板を用いた情報の表示方法について説明する図である。
【図６】アナログ電子時計における表示処理の制御手順を示すフローチャートである。
【図７】表示処理で呼び出される受信処理の制御手順を示すフローチャートである。
【図８】通信接続処理の制御手順を示すフローチャートである。
【図９】変形例１のアナログ電子時計における日車と情報表示板に係る構成を説明する図である。
【図１０】変形例１のアナログ電子時計における日車と情報表示板を用いた情報の表示方法について説明する図である。
【図１１】変形例２のアナログ電子時計における日車と情報表示板に係る構成を説明する図である。
【発明を実施するための形態】
【００１０】
以下、本発明の実施の形態を図面に基づいて説明する。
【００１１】
図１は、本発明の情報表示装置の実施形態であるアナログ電子時計１０を含む情報表示システム１を示す図である。
【００１２】
本実施形態の情報表示システム１は、アナログ電子時計１０と、外部機器としてのスマートフォン４０とにより構成される。このアナログ電子時計１０及びスマートフォン４０は、互いに近距離無線通信を用いて通信を行う機能を有している。近距離無線通信としては、特に限られないが、Bluetooth通信（登録商標）が用いられる。アナログ電子時計１０は、近距離無線通信によりスマートフォン４０への電話及び電子メールの着信を示す通知や、着信内容の確認がなされたことを示す通知をスマートフォン４０からほぼリアルタイムで受信して、報知動作を行う。
【００１３】
図２は、アナログ電子時計１０の正面図である。
このアナログ電子時計１０は、側面及び底面を覆うケーシング５と、文字板７（第１情報表示板）と、時針１６と、分針１７とを備えている。時針１６及び分針１７（複数の指針）は、文字板７と前面を覆う図示略の風防ガラスとの間に、同一の回転軸に対して回転可能に設けられている。また、文字板７の下部には、日車１８（日付表示板）及び情報表示板１９（第２情報表示板）が備えられており、図２（ａ）、（ｂ）にそれぞれ示すように、文字板７の３時の位置に設けられた開口部８（表示窓部）から日車１８及び情報表示板１９の上面にそれぞれ設けられた標識のうち何れかが選択的に表出可能に配置されている。
ケーシング５の側面には、リューズＣが設けられており、ユーザが回転操作可能となっている。文字板７の周縁部には、１時から１２時までの各正時を示す標識である時字が３０度間隔で設けられている。
【００１４】
図３は、アナログ電子時計１０の内部構成を示すブロック図である。
【００１５】
このアナログ電子時計１０は、ＣＰＵ（Central Processing Unit）１１（情報表示板駆動制御手段、照明制御手段）と、ＲＯＭ（Read Only Memory）１２と、ＲＡＭ（Random Access Memory）１３と、操作部１４と、計時回路１５（計時手段）と、輪列機構２０を介して時針１６及び分針１７を連動して回転させるステップモータ２２と、輪列機構２１を介して日車１８及び情報表示板１９を連動して回転させるステップモータ２３（モータ）と、ステップモータ２２、２３をステップ駆動するステップモータ駆動回路２４（情報表示板駆動手段）と、アンテナＡＮと、Bluetoothモジュール２５（無線通信手段）及びＵＡＲＴ（Universal Asynchronous Receiver Transmitter）２６と、振動モータ２７及びそのドライバ２８と、ＬＥＤ（発光ダイオード）２９及びそのドライバ３０と、ピエゾ素子３１及びそのドライバ３２と、ＣＰＵ１１と各部との間で信号のやり取りをするバス３３などを備えている。
【００１６】
ＣＰＵ１１は、アナログ電子時計１０の全体動作の統轄制御及び各種演算処理を行う。ＣＰＵ１１は、計時回路１５の計数する現在時刻に基づいてステップモータ駆動回路２４に制御信号を送り、ステップモータ２２を駆動させて時針１６及び分針１７により時刻表示を行わせ、また、ステップモータ２３を駆動させて日車１８により日付の表示を行わせる。ＣＰＵ１１は、Bluetoothモジュール２５を介してスマートフォン４０から取得された当該スマートフォン４０への着信情報に基づいて表示内容を決定し、この表示内容に従ってステップモータ駆動回路２４にステップモータ２３を駆動させ、情報表示板１９を回転させることで当該情報をそれぞれ表示させる。
【００１７】
ＲＯＭ１２は、ＣＰＵ１１が実行する種々のプログラムや初期設定データを格納する。このＲＯＭ１２が格納するプログラムには、スマートフォン４０とBluetooth通信を行うための通信制御プログラムが含まれる。
【００１８】
ＲＡＭ１３は、ＣＰＵ１１に作業用のメモリ空間を提供し、一時データを記憶する。また、ＲＡＭ１３には、後述する電話着信信号及び電子メール着信信号の受信有無を示すフラグＦＴ及びＦＭがそれぞれ二値データで記憶されている。
【００１９】
操作部１４は、リューズＣを備え、外部からこのリューズＣに対してなされた引き出し操作、押し込み操作、及び、回転操作を電気信号に変換して、入力信号としてＣＰＵ１１に出力する。
【００２０】
計時回路１５は、入力される所定周波数のクロック信号に基づき現在時刻を計数して保持するカウンタである。この現在時刻が読み出され、時針１６及び分針１７によって表示されたり、当該現在時刻データと各種機能に係る設定時刻データとが比較されて種々の動作が行われたりする。
【００２１】
ステップモータ駆動回路２４は、ＣＰＵ１１からステップモータ２２、２３の駆動命令を含む制御信号を受け取ってステップモータ２２、２３を各々独立に駆動する駆動パルスを出力する。
ステップモータ２２、２３は、各々ステップモータ駆動回路２４から入力された駆動パルスによりステップ駆動されて、駆動パルスの電圧波形に基づいて正転方向又は逆転方向に所定角度（例えば、１８０度）回転する。
【００２２】
輪列機構２０、２１は、それぞれ複数の歯車列により構成される。輪列機構２０は、ステップモータ２２の回転角度を歯車比で調整して、ステップモータ２２の１ステップ動作当たり所定角度（ここでは、１度）の回転を分針１７に与える。時針１６は、分針１７に連動して回転する。また、輪列機構２１は、ステップモータ２３の回転角度を歯車比で調整して所定角度の回転を情報表示板１９に与える。また、輪列機構２１は、情報表示板１９が回転する際、その一部の角度範囲（第２角度範囲）において、日車１８を連動して回転させる。この輪列機構２１の構造については、後に詳述する。
【００２３】
Bluetoothモジュール２５は、アンテナＡＮを介して外部機器との間でBluetooth通信を行うための制御モジュールである。ＣＰＵ１１から送られた送信データは、ＵＡＲＴ２６でシリアル／パラレル変換などの処理が行われて、Bluetoothモジュール２５からスマートフォン４０などの外部機器に送信される。また、アンテナＡＮ及びBluetoothモジュール２５による外部機器からの受信データは、ＵＡＲＴ２６でシリアル／パラレル変換などの処理が行われて、ＣＰＵ１１へ出力される。アナログ電子時計１０がスマートフォン４０から受信する受信データの内容は、制御データの他、予め設定されたものである。この受信データには、スマートフォン４０への所定の情報着信を示す着信信号と、当該所定の情報着信の内容を確認済みであることを示す確認信号とが含まれる。本実施形態のアナログ電子時計１０では、スマートフォン４０への電話及び電子メールの着信信号及び確認信号が受信される設定となっている。この場合の電話確認信号は、スマートフォン４０から送信された電話着信信号に係る全ての電話着信への応答又は発信電話番号の確認がなされたことを示す。また、電子メール確認信号は、スマートフォン４０から送信された電子メール着信信号に係る全ての電子メールの内容閲覧又は送信先アドレスの確認がなされたことを示す。
【００２４】
振動モータ２７、ＬＥＤ（発光ダイオード）２９、及び、ピエゾ素子（ＰＺＴ）３１は、それぞれ振動、光、及び、ブザー音を発することでユーザに通知を行うためのものである。ＣＰＵ１１からドライバ２８、３０、３２にそれぞれ制御信号が送られると、ドライバ２８、３０、３２は、それぞれ、振動モータ２７、ＬＥＤ２９、ピエゾ素子３１を動作させるのに必要な電圧信号に変換して出力する。これらの動作は、アナログ電子時計１０におけるアラーム時刻報知動作に用いられる他、上記着信信号の受信報知の際に併せて行われる設定とすることができる。
【００２５】
次に、本実施形態のアナログ電子時計１０における日車１８及び情報表示板１９の回転動作に係る構造について説明する。
【００２６】
図４は、本実施形態のアナログ電子時計１０における日車１８及び情報表示板１９について説明するための図である。図４（ａ）は、日車１８及び情報表示板１９に係る構成を上部から見た模式図であり、図４（ｂ）は、この構成の配置を断面線Ａ−Ａについて側面から見た模式図である。
【００２７】
日車１８は、円環状の回転板であり、時針１６及び分針１７と同一の回転軸に対して回転可能となっている。日車１８の上面には、同一円周上に１〜３１日の各日付（第１の情報）を表す日付標識が１１．２５度間隔で設けられている。また、この日車１８の上部には、日車１８より半径の小さい円板状の情報表示板１９が日車１８に略平行に設けられている。この情報表示板１９は、その外周が３時方向で日車１８の外周と位置が重なるように配置されている。情報表示板１９の上面には、９０度間隔で３個の標識「ＴＥＬ」、「ＭＡＩＬ」、「ＬＩＮＫ」（情報表示部、第２情報表示部）が設けられ、また、標識「ＭＡＩＬ」と１８０度反対側（第１角度範囲）には、下部の日車１８の表示を透過露出させる透過小窓１９１が設けられている。なお、情報表示板１９は、透過小窓１９１を設ける代わりにこの角度方向に切欠部を設け、下部の日車１８の表示を直接表出可能としても良い。或いは、情報表示板１９に透明部材を用い、標識「ＴＥＬ」、「ＭＡＩＬ」、「ＬＩＮＫ」が設けられた部分を除く他の角度範囲では、下部の日車１８の日付標識を透明部材越しに上方から視認可能な構成とすることができる。
【００２８】
情報表示板１９は、ステップモータ２３のステップ駆動により所定の角度回転する輪列機構２１の駆動車連結歯車２１１に従って同角度回転する。また、この駆動車連結歯車２１１の回転は、ゼネバ機構（Geneva Drive）のピン２１２及びスロット２１３を用いて所定の角度範囲でのみ日回し車２１４に伝達されて、日回し車２１４が日車１８の内歯車と噛み合うことで日車１８を回転させる。即ち、ハウジング５１の内部で、情報表示板１９が駆動車連結歯車２１１に従って一周３６０回転すると、日車１８が１１．２５度回転する。
【００２９】
図５は、日車１８及び情報表示板１９による具体的な表示方法について説明する図である。
【００３０】
先ず、情報表示板１９の透過小窓１９１が開口部８と重なる位置にある状態で、駆動車連結歯車２１１と共に回転するピン２１２が従動車である日回し車２１４と共に回転するスロット２１３に納まると、ピン２１２の回転がスロット２１３に伝達される。この結果、日回し車２１４は、９０度の間、駆動車連結歯車２１１の回転に従って回転し、日車１８を回転移動させる。この回転移動により、日付の表示位置は、一日分変化する（図５（ａ）、（ｂ））。また、駆動車連結歯車２１１に連動して情報表示板１９が９０度回転し、標識「ＬＩＮＫ」が日車１８の日付表示を隠した状態で開口部８から表出される。日回し車２１４が９０度回転すると、ピン２１２がスロット２１３から抜けて、その後、駆動車連結歯車２１１が２７０度回転する間には、日回し車２１４が回転しない（図５（ｃ）、（ｄ））。従って、この間、情報表示板１９だけが回転し、９０度の回転で標識「ＭＡＩＬ」が露出され（図５（ｃ））、１８０度の回転で「ＴＥＬ」が露出され（図５（ｄ））、最後に、２７０度回転されることで、透過小窓１９１越しに日車１８の日付表示が露出される。
【００３１】
ここで、透過小窓１９１が露出された状態から駆動車連結歯車２１１を逆転方向（上方からみて左回り）に２７０度回転させて、各標識「ＴＥＬ」、「ＭＡＩＬ」、「ＬＩＮＫ」を開口部８から露出させても、やはり日車１８が回転しない。従って、このアナログ電子時計１０では、通常の日付変更時に一旦駆動車連結歯車２１１を正転方向（上方から見て右回り）に３６０度回転させて、透過小窓１９１を介して開口部８から翌日の日付を表示させる。そして、駆動車連結歯車２１１がこの位置から必要に応じて逆転方向に最大２７０度の範囲で回転されることで、日車１８の位置を変化させずに日付表示と他の情報に係る各標識「ＴＥＬ」、「ＭＡＩＬ」、又は、「ＬＩＮＫ」の表示とが適宜切り替えて露出される。
【００３２】
次に、本実施形態のアナログ電子時計１０における表示動作について説明する。
図６は、アナログ電子時計１０のＣＰＵ１１が実行する表示処理の制御手順を説明するフローチャートである。
【００３３】
この表示処理は、毎秒時刻の秒値が変わるタイミングにおいて１Ｈｚのクロック信号の入力などにより呼び出され、実行される処理である。表示処理が開始されると、ＣＰＵ１１は、先ず、計時処理を行う（ステップＳ１０１）。ＣＰＵ１１は、クロック信号に基づき現在時刻を計数する計時回路１５から現在時刻データを取得する。
【００３４】
次に、ＣＰＵ１１は、現在時刻が「＊０秒」、即ち、秒値の一桁目の値が「０」であるか否かを判別する（ステップＳ１０２）。秒値の一桁目の値が「０」であると判別された場合には、ＣＰＵ１１は、ステップモータ駆動回路２４に制御信号を送り、ステップモータ２２を動作させて時針１６及び分針１７を回転移動させる（ステップＳ１０３）。それから、ＣＰＵ１１の処理は、ステップＳ１０４に移行する。秒値の一桁目の値が「０」ではないと判別された場合には、ＣＰＵ１１の処理は、そのままステップＳ１０４に移行する。
【００３５】
ステップＳ１０４の処理に移行すると、ＣＰＵ１１は、日付変更のタイミングであるか否かを判別する。日付変更のタイミングであると判別された場合には、ＣＰＵ１１は、ステップモータ駆動回路２４に制御信号を送り、ステップモータ２３を動作させて日車１８及び情報表示板１９を回転移動させ、翌日の日付を表示させる（ステップＳ１０５）。それから、ＣＰＵ１１の処理は、ステップＳ１０６に移行する。日付変更のタイミングではないと判別された場合には、ＣＰＵ１１の処理は、そのままステップＳ１０６に移行する。
【００３６】
ＣＰＵ１１の処理がステップＳ１０６に移行すると、ＣＰＵ１１は、スマートフォン４０との間でBluetooth通信のリンクが確立されているか否かを判別する。通信リンクが確立されていると判別された場合には、ＣＰＵ１１は、後述する受信処理を行い（ステップＳ１０７）、それから、表示処理を終了する。通信リンクが確立されていないと判別された場合には、ＣＰＵ１１は、そのまま表示処理を終了する。
【００３７】
図７には、表示処理で呼び出された受信処理の制御手順を示すフローチャートを示す。
【００３８】
受信処理が呼び出されると、ＣＰＵ１１は、データが受信されたか否かを判別する（ステップＳ２０１）。データが受信されていないと判別された場合には、ＣＰＵ１１はそのまま受信処理を終了して表示処理に戻る。
データが受信されたと判別された場合には、次に、ＣＰＵ１１は、受信データがスマートフォン４０への着信信号であるか否かを判別する（ステップＳ２０２）。着信信号であると判別された場合には、ＣＰＵ１１は、更に、この着信信号が電話着信信号であるか否かを判別する。電話着信信号であると判別された場合には、ＣＰＵ１１は、フラグＦＴを「１」に設定し（ステップＳ２１２）、また、ステップモータ駆動回路２４に制御信号を出力して、情報表示板１９の標識「ＴＥＬ」が開口部８から表出されるように情報表示板１９を回転移動させる（ステップＳ２１３）。そして、ＣＰＵ１１は、受信処理を終了して、ＣＰＵ１１の処理は、表示処理に戻る。
【００３９】
一方、ステップＳ２１１の判別処理で、受信された着信処理が電話着信信号ではないと判別された場合には、電子メールの着信信号であるということになり、ＣＰＵ１１は、フラグＦＭを「１」に設定する（ステップＳ２２２）。ＣＰＵ１１は、ステップモータ駆動回路２４に制御信号を出力して、情報表示板１９の標識「ＭＡＩＬ」が開口部８から表出されるように情報表示板１９を回転移動させる（ステップＳ２２３）。そして、ＣＰＵ１１は、受信処理を終了して、ＣＰＵ１１の処理は、表示処理に戻る。
【００４０】
次に、ステップＳ２０２の判別処理で、受信データが着信信号ではないと判別された場合には、ＣＰＵ１１は、続いて、受信データが着信の確認信号であるか否かを判別する（ステップＳ２０３）。確認信号であると判別された場合には、ＣＰＵ１１は、更に、この確認信号が電話確認信号であるか否かを判別する（ステップＳ２３１）。電話確認信号であると判別された場合には、ＣＰＵ１１は、フラグＦＴを「０」に設定する（ステップＳ２３２）。次いで、ＣＰＵ１１は、フラグＦＭが「１」であるか否かを判別する（ステップＳ２３３）。フラグＦＭが「１」であると判別された場合には、ＣＰＵ１１は、ステップモータ駆動回路２４に制御信号を出力し、ステップモータ２３を動作させて情報表示板１９の標識「ＭＡＩＬ」を開口部８から表出させる（ステップＳ２３４）。そして、ＣＰＵ１１は、受信処理を終了し、処理を表示処理に戻す。
【００４１】
ステップＳ２３３の判別処理でフラグＦＭが「１」ではないと判別された場合には、ＣＰＵ１１は、ステップモータ駆動回路２４に制御信号を出力し、ステップモータ２３を動作させて情報表示板１９の透過小窓１９１の位置と開口部８の位置を一致させ、日車１８の日付標識を開口部８から表出させる（ステップＳ２５４）。そして、ＣＰＵ１１は、受信処理を終了して処理を表示処理に戻す。
【００４２】
ステップＳ２３１の判別処理で、確認信号が電話確認信号ではないと判別された場合には、確認信号は、電子メール確認信号であるということになるので、ＣＰＵ１１は、フラグＦＭを「０」に設定する（ステップＳ２４２）。次いで、ＣＰＵ１１は、フラグＦＴが「１」であるか否かを判別する（ステップＳ２４３）。フラグＦＴが「１」ではないと判別された場合には、ＣＰＵ１１の処理は、ステップＳ２５４に移行する。一方、フラグＦＴが「１」であると判別された場合には、ＣＰＵ１１は、ステップモータ駆動回路２４に制御信号を出力し、ステップモータ２３を動作させて情報表示板１９の標識「ＴＥＬ」が開口部８から表出されるように情報表示板１９を回転移動させる（ステップＳ２４４）。それから、ＣＰＵ１１は、受信処理を終了して処理を表示処理に戻す。
【００４３】
ステップＳ２０３の判別処理で、受信データが確認信号ではないと判別された場合には、ＣＰＵ１１は、その他の処理を行い（ステップＳ２０４）、受信処理を終了して処理を表示処理に戻す。
【００４４】
図８は、通信接続処理のＣＰＵ１１による制御手順を示すフローチャートである。
【００４５】
この通信接続処理は、上記表示処理において毎秒受信処理を行うための通信リンクをアナログ電子時計１０とスマートフォン４０との間で確立するための処理である。この通信接続処理は、例えば、スマートフォン４０への操作入力による通信接続命令の受信や、スマートフォン４０で予め設定された起動時刻の検出により起動される。或いは、ユーザによるリューズＣへの所定の操作により起動されることとしても良い。
【００４６】
通信接続処理が開始されると、ＣＰＵ１１は、先ず、既に通信リンク中であるか否かを判別する（ステップＳ３０１）。既に通信リンク中であると判別された場合には、ＣＰＵ１１の処理は、ステップＳ３０４に移行する。通信リンク中ではないと判別された場合には、ＣＰＵ１１は、スマートフォン４０とのリンク処理を行う（ステップＳ３０２）。このリンク処理は、Bluetooth通信の通信規約に基づく周知の方法でなされればよい。このとき、リンクが確立されない場合には、ＣＰＵ１１は、予め設定された時間内で繰り返しリンク処理を行い、この時間内にリンクが確立されなかった場合には、そのままリンク処理を終了する。
【００４７】
ＣＰＵ１１は、スマートフォン４０との通信リンクの確立に成功したか否かを判別する（ステップＳ３０３）。通信リンクの確立に失敗したと判別された場合には、ＣＰＵ１１は、そのまま通信接続処理を終了する。通信リンクの確立に成功したと判別された場合には、ＣＰＵ１１の処理は、ステップＳ３０４に移行する。
【００４８】
ステップＳ３０４の処理に移行すると、ＣＰＵ１１は、ステップモータ駆動回路２４に制御信号を送り、ステップモータ２３を動作させて情報表示板１９の標識「ＬＩＮＫ」が開口部８から表出されるように情報表示板１９を回転移動させる。それから、ＣＰＵ１１は、この標識「ＬＩＮＫ」の表示継続時間を計数する。
【００４９】
ＣＰＵ１１は、標識「ＬＩＮＫ」の表示継続時間が所定時間経過したか否か判別する（ステップＳ３０５）。ＣＰＵ１１は、所定時間が経過したと判別されるまで、この判別処理を繰り返し実行する。そして、所定時間が経過したと判別されると、ＣＰＵ１１は、ステップモータ駆動回路２４に制御信号を送り、ステップモータ２３を動作させて元の表示モードに戻す（ステップＳ３０６）。即ち、ＣＰＵ１１は、情報表示板１９の透過小窓１９１を開口部８の位置に一致させ、日車１８による現在の日付表示を行わせる。そして、ＣＰＵ１１は、通信接続処理を終了する。
【００５０】
このように、本発明の実施形態のアナログ電子時計１０は、開口部８を有する文字板７と、この文字板７の下側に回転可能に設けられ、開口部８から選択的に表出される複数の日付標識が配設された日車１８と、文字板７と日車１８との間に設けられ、上面に日付とは異なる情報が配設された標識「ＴＥＬ」、「ＭＡＩＬ」、「ＬＩＮＫ」を有する情報表示板１９と、ステップモータ２３に駆動パルスを出力し、輪列機構２１を動作させて透過小窓１９１、標識「ＴＥＬ」、「ＭＡＩＬ」、「ＬＩＮＫ」のそれぞれと開口部８とが一致する位置に情報表示板１９を回転移動させるステップモータ駆動回路２４とを備える。従って、出力すべき情報があり、３個の標識の何れも表示させる場合には、情報表示板１９を回転させて容易に標識「ＴＥＬ」、「ＭＡＩＬ」、「ＬＩＮＫ」の何れかを表出させることが出来、一方、出力すべき情報がない場合には、透過小窓１９１越しに開口部８から日付標識を表出可能である。従って、日付情報とその他の情報とを別個の日車１８及び情報表示板１９を用いて表示するので、一方の情報を表示させるごとに他方の情報に係る表示位置をリセットして切り替える必要がない。
【００５１】
また、開口部８から表出される標識は一つだけであるので、ユーザが複数の表示により混乱することを防ぐことができる。
【００５２】
また、時刻の表示に用いられる指針１６、１７の位置を変えずに情報の表示を行うことができ、時刻情報と比較してユーザの確認頻度の比較的少ない日付表示と他の情報の表示とを切り替えるので、情報を表示している間に時刻情報を取得できないという不具合を解消することができる。
【００５３】
また、従来の日車１８に係る日付表示のみを行うアナログ電子時計と同様の文字板構成でよく、複数の情報に係る目盛や標識を文字板上に設ける必要も無いので、デザインの自由度を高めることができる。
【００５４】
また、日車１８による日付表示と他の情報とを別個の日車１８及び情報表示板１９を用いて表示することで、定期的に変化していく日付情報に係る表示状態を不定期に表示される情報によって変化させる必要が無く、日車１８の不要な動作を低減させることができる。特に、日車１８のように一周当たりのステップ数の多い回転円板の動作ステップ数を大きく減らすことができるので、電力消費の低減や、速やかな情報表示を行うことができる。
【００５５】
また、情報表示板１９は、回転可能な円板形状であり、円板上に各標識が設けられるので、輪列機構による操作を容易に行うことができる。
【００５６】
また、ゼネバ機構や欠歯歯車といった構成を用いることで情報表示板１９の回転移動に部分的に連動して日車１８を回転させるので、日車１８の回転動作に大きな負担をかけず、一のステップモータで複数の情報に係る表示を適切に切り替えることができる。従って、ステップモータの数を増やすことによる重量やサイズの増加を抑えることができる。
【００５７】
また、日車１８と連動して回転しない角度範囲で情報表示板１９を回転させることで、情報表示を行う際に、不要な大きさのトルクがかかる回転動作がふようとなり、ステップモータ駆動回路２４から出力するパルス幅を広げたりパルス電圧を大きくしたりせずに容易に表示される情報を切り替えることができる。
【００５８】
また、Bluetooth通信機能を備え、通信接続状態にあるスマートフォン４０などの外部機器から略リアルタイムで情報の有無に関する信号を受信し、情報表示板１９を用いて表示させることができるので、スマートフォン４０などを手に保持したり表に出しておいたりすることが困難な状況でも、ユーザは、容易に情報の有無に関して知得することが出来る。
【００５９】
また、アナログ電子時計、特に、腕時計のような身につけるものにこのような機能を搭載することで、時計としての機能を損なわずに他の情報をより速やか且つ確実に取得することができる。
【００６０】
特に、電話の着信情報や電子メールの着信情報を速やかに知得することができるので、速やかに連絡がとれないと問題になるような場合でも、より確実に着信に対処することができる。
【００６１】
［変形例１］
次に、本実施形態のアナログ電子時計１０の変形例１について説明する。
【００６２】
図９は、変形例１のアナログ電子時計１０における日車１８ａ及び情報表示板１９について説明する図である。この変形例１のアナログ電子時計１０では、ゼネバ機構を用いずに、駆動車連結歯車２１１及び情報表示板１９と共に回転する日回し車２１４ａが直接日車１８ａの内歯車と部分的に噛み合って回転する構成となっている。その他の構成については、上記実施形態のアナログ電子時計１０と同様であり、同一の符号を付して説明を省略する。
【００６３】
この日回し車２１４ａは、所定の９０度の範囲にのみ歯が設けられている欠歯歯車であり、他の２７０度の範囲では、日車１８ａの内歯車と接触せず、従って、日車１８ａを回転させない。これに伴って日車１８ａの内歯車は、日回し車２１４ａと噛み合う範囲にのみ間欠的に歯を設ける構成とすることができる。
【００６４】
図１０は、変形例１のアナログ電子時計１０における日車１８ａ及び情報表示板１９による情報の表示方法を示す図である。上記実施の形態における日車１８及び情報表示板１９と同様に、情報表示板１９の透過小窓１９１が開口部８の位置と重なっている状態（図１０（ａ））から駆動車連結歯車２１１が逆転方向に回転されると、情報表示板１９が回転されると共に、日回し車２１４ａと日車１８ａの内歯車とが噛み合って日付を示す標識が回転移動する（図１０（ｂ））。そして、駆動車連結歯車２１１が９０度回転されたところで日回し車２１４ａと日車１８ａとの噛み合わせが外れる。このとき、図１０（ｃ）に示すように、日車１８ａにおいて一日先の日付を示す日付標識が開口部８の位置にあり、また、情報表示板１９は、開口部８から標識「ＴＥＬ」を表出させた状態になっている。
【００６５】
駆動車連結歯車２１１は、この状態から更に、逆転方向に単独で最大２７０度回転される。駆動車連結歯車２１１が９０度回転されると、図１０（ｄ）に示すように標識「ＭＡＩＬ」が開口部８から表出され、更に９０度（合計１８０度）回転されると、図１０（ｅ）に示すように標識「ＬＩＮＫ」が開口部８から表出される。そして、駆動車連結歯車２１１が更に９０度（合計２７０度）回転されると、透過小窓１９１の位置が開口部８の位置と一致し、この透過小窓１９１越しに日車１８ａの日付標識が開口部８から表出される。
【００６６】
ＣＰＵ１１は、日付変更時に駆動車連結歯車２１１及び情報表示板１９を３６０度逆転方向に回転させて、変更された日付を透過小窓１９１及び開口部８越しに表出させる。その後、ＣＰＵ１１は、必要に応じて駆動車連結歯車２１１及び情報表示板１９を正転方向に２７０度の範囲内で回転させることにより、日車１８ａを移動させずに適宜日付表示と他の情報に係る標識「ＴＥＬ」、「ＭＡＩＬ」、又は、「ＬＩＮＫ」とを切り替えて表示させることができる。
【００６７】
以上のように、本実施形態のアナログ電子時計１０の変形例１によれば、ゼネバ機構を追加せずにより容易な構成で日車１８の回転と情報表示板１９の回転との連動及び非連動を切り替えることができるので、アナログ電子時計１０のサイズや重量の増加を抑えることができる。
【００６８】
［変形例２］
次に、変形例２のアナログ電子時計１０について説明する。
図１１は、変形例２のアナログ電子時計１０において、図４と同じ位置、向きで日車１８及び情報表示板１９ｂに係る構成を側面から見た場合の模式図である。
【００６９】
この変形例２のアナログ電子時計１０は、情報表示板１９ｂの追加構成、及び、情報表示板１９ｂの側部に設けられたＬＥＤ２９ｂ（照明手段）が追加されている点を除き、上記実施の形態のアナログ電子時計１０と同一の構成であり、同一の符号を付して説明を省略する。
【００７０】
この情報表示板１９ｂとしては、光導板が用いられている。そして、情報表示板１９ｂの側面から入射された光が下面でほぼ一様に反射されて上面側から出射される構造となっている。情報表示板１９ｂの標識「ＴＥＬ」、「ＭＡＩＬ」、又は、「ＬＩＮＫ」の何れかが開口部８から表出される場合には、ＣＰＵ１１は、ＬＥＤ２９ｂを点灯させることで情報表示板１９ｂの側面から光を入射させる。これにより、情報表示板１９ｂの何れかの標識が表出される際に、同時に開口部８から光が出射される。
なお、ＬＥＤ２９ｂを発光状態とする継続時間は、適宜設定可能である。或いは、所定の時間間隔で点滅動作やパルス発光を行わせても良い。
【００７１】
以上のように、本実施形態のアナログ電子時計１０の変形例２によれば、情報表示板１９に光導板を用い、これらの情報が取得されたことを報知する際に、情報表示板１９から発光させることができるので、ユーザは、更に確実に情報の出力を知得することができる。
【００７２】
なお、本発明は、上記実施の形態に限られるものではなく、様々な変更が可能である。
例えば、上記実施形態では、日車１８と情報表示板１９とを連動させて回転させる機構を示したが、これに限られない。各々異なるステップモータにより独立に回転移動が行われても良い。
【００７３】
また、上記実施の形態では、２つの回転円板を用いた情報表示に係る技術をアナログ電子時計に適用したが、これに限られない。例えば、帯上に設けられた複数の標識をモータで巻き取りながら表示情報を切り替えるような機構を用いても良い。
【００７４】
また、上記実施の形態では、アナログ電子時計において日付表示に外部機器への着信情報を重ねて表示させる場合を例に挙げて説明したが、表示情報はこれらに限られない。例えば、日付情報の代わりに曜日情報が表示されるアナログ電子時計に用いても良いし、また、電話や電子メールの着信情報を表示する代わりにスマートフォン４０で管理されているスケジュールに基づく報知などに用いても良い。また、このような構成を備える情報表示装置は、時計に限られず、指針による表示機能を別途備えている必要もない。従って、この情報表示装置では、容易に様々なデザインを採用することができる。
【００７５】
また、上記実施の形態では、Bluetooth通信を利用してスマートフォン４０から情報を取得して情報の表示を行ったが、外部機器は、スマートフォンに限られず、携帯電話やモバイルＰＣなど種々の機器との間で通信が可能である。また、表示させる情報は、外部機器からの取得情報に限られない。アナログ電子時計自体が備える他の機能に係る表示、例えば、アラーム設定やモード設定の表示などに用いてもよい。また、アナログ電子時計に予め組み込まれた図柄や模様が毎日所定の時刻に表示されるような、制御動作を介さない装飾的機能などに用いることも可能である。
【００７６】
また、上記変形例２では、光導板を用いてＬＥＤ２９ｂの出射光により情報表示板１９ｂ自体を光らせる構成としたが、単純に上部から情報表示板１９ｂをＬＥＤ２９ｂにより照射させることとしても良い。
【００７７】
また、日車１８に重ねて設けられる情報表示板１９は、一枚ではなく、複数枚であっても良い。
【００７８】
また、上記実施の形態では、情報表示板１９を透過小窓１９１が開口部８にある位置から標識「ＴＥＬ」又は「ＬＩＮＫ」が開口部８にある位置へ回転する際に日車１８が連動して回転する構成としたが、これに限られない。例えば、標識「ＴＥＬ」または「ＬＩＮＫ」が開口部８にある位置から透過小窓１９１が開口部８にある位置に回転する際に日車１８が連動して回転する構成であっても良い。
その他、上記実施の形態で示した具体的な構成、配置、数値、及び、動作の順番などは、本発明の趣旨を逸脱しない範囲において適宜変更可能である。
【００７９】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８０】
［付記］
＜請求項１＞
表示窓部を有する文字板と、
この文字板の下側に回転可能に設けられ、前記表示窓部から選択的に表出される複数の日付が配設された日付表示板と、
前記文字板と前記日付表示板との間に設けられ、上面に前記日付とは異なる情報が配設された情報表示部を有する情報表示板と、
この情報表示板を、前記情報表示部が前記表示窓部と重ならず、且つ、前記表示窓部に対応する位置にある前記日付が前記表示窓部から表出される所定の位置、及び、前記情報表示部が前記表示窓部に対応する位置の何れにも移動可能な情報表示板駆動手段と
を備えることを特徴とする情報表示装置。
＜請求項２＞
表示窓部を有する文字板と、
この文字板の下側に回転可能に設けられ、前記表示窓部から選択的に表出される複数の第１の情報が配設された第１情報表示板と、
この第１情報表示板を間欠的に回転させるモータと、
前記文字板と前記第１情報表示板との間に回転可能に設けられ、上面に第２の情報が配設された第２情報表示部を有する第２情報表示板と、
前記モータにより、前記第１情報表示板を静止させたままで、前記第１の情報表示板の上側で前記第２情報表示板を回転させて、前記第２情報表示部を前記表示窓部に対応した位置に移動させる情報表示板駆動手段と
を備えることを特徴とする情報表示装置。
＜請求項３＞
表示窓部を有する文字板と、
この文字板の下側に回転可能に設けられ、前記表示窓部から選択的に表出される複数の第１の情報が配設された第１情報表示板と、
前記文字板と前記第１情報表示板との間に回転可能に設けられ、上面に第２の情報が配設された第２情報表示部を有する第２情報表示板と、
前記第２情報表示板を、前記第２情報表示部が前記表示窓部と重ならず、且つ、前記表示窓部に対応する位置にある前記第１の情報が前記表示窓部から表出される所定の位置、及び、前記第２情報表示部が前記表示窓部に対応する位置の何れにも移動可能な情報表示板駆動手段と
を備えることを特徴とする情報表示装置。
＜請求項４＞
前記第２情報表示板は、回転可能に設けられており、この第２情報表示板のうち、所定の一部の第１角度範囲において、前記表示窓部から前記第１の情報を表出可能な構成である
ことを特徴とする請求項３記載の情報表示装置。
＜請求項５＞
出力する情報に応じて前記情報表示板駆動手段を動作させる情報表示板駆動制御手段を備え、
前記第１情報表示板の回転移動は、前記第２情報表示板の回転に連動して行われる構成であり、
前記情報表示板駆動制御手段は、
表示させる前記第１の情報を変更する際、前記第２情報表示板と共に前記第１情報表示板を回転移動させ、
表示させる情報を切り替える場合には、前記第１情報表示板を静止させたままで前記第２情報表示板を回転移動させて、出力する情報に応じた前記第１の情報又は前記第２の情報を前記表示窓部から表出させる
ことを特徴とする請求項４記載の情報表示装置。
＜請求項６＞
前記第１情報表示板は、前記第２情報表示板における所定の第２角度範囲でこの第２情報表示板と連動して回転され、
前記情報表示板駆動制御手段は、前記表示窓部から表出させる情報を切り替える場合には、この第２角度範囲以外の角度範囲で前記第２情報表示板のみを回転させる
ことを特徴とする請求項５記載の情報表示装置。
＜請求項７＞
外部機器と無線通信を行う無線通信手段を備え、
前記第２の情報は、この無線通信手段により前記外部機器から取得された情報である
ことを特徴とする請求項２〜６の何れか一項に記載の情報表示装置。
＜請求項８＞
前記第２情報表示板を照明する照明手段と、
前記第２情報表示部を前記表示窓部に対応する位置に移動させた状態で前記第２情報表示板を前記照明手段に照明させる照明制御手段と
を備えることを特徴とする請求項２〜７の何れか一項に記載の情報表示装置。
＜請求項９＞
前記第１の情報は、日付情報であることを特徴とする請求項２〜８の何れか一項に記載の情報表示装置。
＜請求項１０＞
前記１〜９の何れか一項に記載の情報表示装置と、
時刻を計数する計時手段と、
前記文字板上で回動可能に設けられ、前記計時手段により計数された時刻を指し示す複数の指針と
を備えることを特徴とするアナログ電子時計。
【符号の説明】
【００８１】
１     情報表示システム
５     ケーシング
７     文字板
８     開口部
１０   アナログ電子時計
１１   ＣＰＵ
１２   ＲＯＭ
１３   ＲＡＭ
１４   操作部
１５   計時回路
１６   時針
１７   分針
１８、１８ａ  日車
１９、１９ｂ  情報表示板
２０、２１    輪列機構
２２、２３    ステップモータ
２４   ステップモータ駆動回路
２５   Bluetoothモジュール
２６   ＵＡＲＴ
２７   振動モータ
２８   ドライバ
２９、２９ｂ  ＬＥＤ
３０   ドライバ
３１   ピエゾ素子
３２   ドライバ
３３   バス
４０   スマートフォン
５１   ハウジング
１９１ 透過小窓
２１１ 駆動車連結歯車
２１２ ピン
２１３ スロット
２１４、２１４ａ     日回し車
ＡＮ   アンテナ
Ｃ     リューズ
【図１】
2014029272.tif 000003
【図２】
2014029272.tif 000004
【図３】
2014029272.tif 000005
【図４】
2014029272.tif 000006
【図５】
2014029272.tif 000007
【図６】
2014029272.tif 000008
【図７】
2014029272.tif 000009
【図８】
2014029272.tif 000010
【図９】
2014029272.tif 000011
【図１０】
2014029272.tif 000012
【図１１】
2014029272.tif 000013